(57)【特許請求の範囲】
【請求項１】
連設部から先端が自由端となった上横片を横方向に突出し且つ連設部から上横片と同じ方向に先端が自由端となった下横片を突出すると共に上横片に上横片に設けた孔に連通するようにナットを固着してナット付きプレートを形成し、角筒状をした鋼製大引の端部開口から鋼製大引の底面壁にナット付きプレートを差し込んで上横片と下横片とで底面壁を上下から挟持した状態でナットと底面壁に設けた孔とを連通させ、基礎や束等の大引支持基台の上面に支持基台の側面より側方に突出するように載置部を設け、載置部に鋼製大引の端部を載置すると共に載置部に設けたボルト挿入孔から挿入したボルトを鋼製大引の孔を介してナット付きプレートのナットに螺合して成ることを特徴とする鋼製大引の取付け構造。
【請求項２】
連設部の中央部から先端が自由端となった上横片を横方向に突出し且つ連設部の両端部から上横片と同じ方向に先端が自由端となった下横片を突出し、下横片、上横片のいずれか一方の突出長を他方の突出長よりも長くして成ることを特徴とする請求項１記載の鋼製大引の取付け構造。
【請求項３】
上横片の先端よりも両側の下横片の先端を突出させ、上横片の先端を斜め上方に突出させて上横片用ガイド部として成ることを特徴とする請求項２記載の鋼製大引の取付け構造。
【請求項４】
角筒状の鋼製大引内に差し込まれる上横片に角筒状をした鋼製大引の端部開口の横巾とほぼ等しい巾の部分を設けて成ることを特徴とする請求項１乃至請求項３のいずれかに記載の鋼製大引の取付け構造。
【請求項５】
ナットを上横片に設けた孔よりも外径の大きいナット本体とナット本体の下端部に突設した上横片に設けた孔よりも外径の小さい細径筒部とで構成し、ナットの細径筒部を上横片に設けた孔に上方より挿入してナット本体を上横片の上面側に位置させると共に細径筒部に上横片の下方よりリングを嵌め込んで細径筒部を上横片の下面側にかしめ固定して成ることを特徴とする請求項１乃至請求項４のいずれかに記載の鋼製大引の取付け構造。
【発明の詳細な説明】
【０００１】
【発明の属する技術分野】
本発明は、鋼製大引の取付け構造に関するものである。
【０００２】
【従来の技術】
近年、大引として角筒状をした鋼製大引が使用されるようになっている。鋼製大引は木製大引に比べて強度が強く、また、シロアリなどの被害にも遭わないため、長期間安定して強度を発揮することができるという特徴を有している。
【０００３】
上記のような特徴を有する角筒状をした鋼製大引は基礎や束等の大引支持基台に載設支持される。例えば、大引支持基台が基礎の場合で説明すると、大引の底面壁の端部付近に孔を設け、鋼製大引内において底面壁の上面側にナットを孔と連通するように配置した状態で溶接あるいはかしめ固定により固着し、また、基礎上面に載置部となる受け金物をアンカーボルトにより固着し、この受け金物の側端部を基礎の側面よりも側方に突出させてあり、この受け金物上に鋼製大引を載置し、鋼製大引の底面壁の端部付近に設けたナットと載置部の孔とを合わせ、載置部の孔からボルトを挿入して鋼製大引に固定したナットに螺着することで鋼製大引を取付けていた。
【０００４】
ところが、角筒状の鋼製大引の端部付近の内部にナットを溶接するのはきわめて難しく、また、かしめ固定にしても固着が難しいという問題がある。
【０００５】
【発明が解決しようとする課題】
本発明は上記の点に鑑みてなされたものであり、簡単な構成で角筒状の鋼製大引内の端部付近に正確にナットを位置させることができ、鋼製大引の取付けが容易に行える鋼製大引の取付け構造を提供することを課題とするものである。
【０００６】
【課題を解決するための手段】
上記課題を解決するために本発明に係る鋼製大引の取付け構造は、連設部１から先端が自由端となった上横片２を横方向に突出し且つ連設部１から上横片２と同じ方向に先端が自由端となった下横片３を突出すると共に上横片２に上横片２に設けた孔４に連通するようにナット５を固着してナット付きプレート６を形成し、角筒状をした鋼製大引７の端部開口８から鋼製大引７の底面壁９にナット付きプレート６を差し込んで上横片２と下横片３とで底面壁９を上下から挟持した状態でナット５と鋼製大引７の底面壁９に設けた孔１８とを連通させ、基礎や束等の大引支持基台１０の上面に大引支持基台１０の側面より側方に突出するように載置部１０ｂを設け、載置部１０ｂに鋼製大引７の端部を載置すると共に載置部１０ｂに設けたボルト挿入孔１１から挿入したボルト１２を鋼製大引７の孔１８を介してナット付きプレート６のナット５に螺合して成ることを特徴とするものである。このような構成とすることで、鋼製大引７の端部開口８から鋼製大引７の底面壁９にナット付きプレート６を差し込むだけで、ナット５を鋼製大引７の底面壁９に設けた孔１８と連通した状態で保持でき、従来のようにナット５を鋼製大引７内に溶接やかしめ固定により取付ける必要がなくて、簡単に鋼製大引７を大引支持基台１０にボルト１２により取付けることが可能となるものである。
【０００７】
また、連設部１の中央部から先端が自由端となった上横片２を横方向に突出し且つ連設部１の両端部から上横片２と同じ方向に先端が自由端となった下横片３を突出し、下横片３、上横片２のいずれか一方の突出長を他方の突出長よりも長くすることが好ましい。このような構成とすることで、鋼製大引７の端部開口８から鋼製大引７の底面壁９にナット付きプレート６を差し込んでナット５と底面壁９の孔１８とを位置決めして連通させるに当たって、ナット付きプレート６の両下横片３又は上横片２のうちいずれかの先端を先に鋼製大引７の底面壁９の端部開口８側の下面又は上面に当てた状態で次に他方の先端を底面壁９の上面側又は下面側に沿って差し込むことでナット付きプレート６を底面壁９の上下面に挟持するように差し込むことができるものである。
【０００８】
また、上横片２の先端よりも両側の下横片３の先端を突出させ、上横片２の先端を斜め上方に突出させて上横片用ガイド部１４とすることが好ましい。このような構成とすることで、鋼製大引７の端部開口８から鋼製大引７の底面壁９にナット付きプレート６を差し込んでナット５と底面壁９の孔１８とを位置決めして連通させるに当たって、ナット付きプレート６の両下横片３の先端を先に鋼製大引７の底面壁９の端部開口８側の下面に当てた状態で次に上横片２の先端の上横片用ガイド部１４をガイドとして底面壁９の上面側に沿って差し込むことでナット付きプレート６を底面壁９の上下面に挟持するように差し込むことができるものである。
【０００９】
また、角筒状の鋼製大引７内に差し込まれる上横片２に角筒状をした鋼製大引７の端部開口８の横巾とほぼ等しい巾の部分を設けることが好ましい。このような構成とすることで、上横片２を角筒状の鋼製大引７内に差し込むと上横片２の鋼製大引７に対する巾方向の位置決めが自動的になされてナット５と鋼製大引７の底面壁９に設けた孔１８とを容易に一致させることができ、ナット５と孔１８とを一致させた状態で鋼製大引７に対してナット５が巾方向にずれないようにできるものである。
【００１０】
また、ナット５を上横片２に設けた孔４よりも外径の大きいナット本体１５とナット本体１５の下端部に突設した上横片２に設けた孔４よりも外径の小さい細径筒部１６とで構成し、ナット５の細径筒部１６を上横片２に設けた孔４に上方より挿入してナット５本体を上横片２の上面側に位置させると共に細径筒部１６に上横片２の下方よりリング１７を嵌め込んで細径筒部１６を上横片２の下面側にかしめ固定することが好ましい。このような構成とすることで、上横片２にナット５を取付ける際に用いるリング１７をボルト１２による締め付け時に座金としての役目をすることになる。
【００１１】
【発明の実施の形態】
以下、本発明を添付図面に示す実施形態に基づいて説明する。
【００１２】
まず、図１乃至図４に基づいて本発明の一実施形態につき説明する。ナット付きプレート６は、背の低い縦片よりなる連設部１の下端部の中央部から横方向に向けて先端が自由端となり且つナット５を固着した上横片２が突出してあり、また、連設部１の両側部からそれぞれ先端が自由端となった下横片３が上横片２の突出方向と同方向に突出して構成してある。
【００１３】
両下横片３はいずれも上横片２よりも少し下方に位置しており、下横片３と上横片２との上下方向の隙間の寸法は後述の筒状をした鋼製大引７の底面壁９の肉厚と同じか又は肉厚よりも少し短いものである。また、両下横片３は上横片２よりも突出長が長く、したがって、下横片３の先端は上横片２の先端よりも突出している。
【００１４】
図４に示すように、上横片２には孔４が設けてあり、この孔４に連通するように上横片２にナット５が取付けてある。ナット５は上横片２に設けた孔４よりも外径の大きいナット本体１５とナット本体１５の下端部に突設した上横片２に設けた孔４よりも外径の小さい細径筒部１６とで構成してある。このナット５の細径筒部１６をナット付きプレート６の上横片２に設けた孔４に上方より挿入してナット５本体を上横片２の上面側に位置させると共に細径筒部１６に上横片２の下方よりリング１７を嵌め込んで細径筒部１６を上横片２の下面側にかしめ固定することでナット５を上横片２の孔４部分に固着している。このような固着状態でナット５はナット本体１５が上横片２の上面側に位置し、リング１７が上横片２の下面側に位置することになる。
【００１５】
上横片２の先端を斜め上方に突出させてあって、この先端の斜めに突出した部分が上横片用ガイド部１４となっている。
【００１６】
筒状の鋼製大引７は底面壁９の端部開口８から一定寸法内側に引き込んだ位置に孔１８が設けてある。鋼製大引７の端部開口８から底面壁９に設けた孔１８の中心までの長さは、ナット付きプレート６の連設部１からナット５の中心までの長さに等しく設定してある。
【００１７】
前述のナット付きプレート６は角筒状をした鋼製大引７の端部開口８から鋼製大引７の底面壁９に差し込んで取付けるものであり、上横片２と下横片３とで底面壁９を上下から挟持すると共にナット５と鋼製大引７の底面壁９に設けた孔４とを連通させる。
【００１８】
この場合、上横片２の先端よりも両側の下横片３の先端を突出させてあるので、ナット付きプレート６の両下横片３の先端を先に鋼製大引７の底面壁９の端部開口８側の下面に当てた状態で次に上横片２の先端をガイドとして底面壁９の上面側に沿って差し込むことでナット付きプレート６を底面壁９の上下面に挟持するように差し込むことができるものであり、更に、この際、上横片２の先端を斜め上方に突出させて上横片用ガイド部１４としてあるので、上横片２の先端の上横片用ガイド部１４をガイドとして底面壁９の上面側に沿って差し込むことができて、ナット付きプレート６を底面壁９の上下面に挟持するように差し込む作業が容易に行えるものである。また、鋼製大引７の端部開口８から底面壁９に設けた孔１８の中心までの長さと、ナット付きプレート６の連設部１からナット５の中心までの長さを等しく設定してあることで、ナット付きプレート６を連設部１が鋼製大引７の底面壁９の端（つまり端部開口８の下端縁）に当たるまで差し込むことで、自動的にナット５と孔１８とを連通することができるものである。
【００１９】
このようにして鋼製大引７にナット付きプレート６を取付けることで鋼製大引７の底面壁９の孔１８に連続してナット５を設けた後に、鋼製大引７を基礎や束等の大引支持基台１０の上面の載置部１０ｂに鋼製大引７を載置して上記ナット５を利用してボルト１２により取付けるものである。
【００２０】
支持基台１０には載置部１０ｂが設けられ、この載置部１０ｂは少なくとも一部が支持基台１０の側面よりも側方に突出している。図１には支持基台１０が基礎１０ａの例を示してあり、この基礎１０ａの上面に載置部１０ｂとなる受け金物１０ｃをアンカーボルト２０により固着してあり、この受け金物１０ｃの側端部を基礎１０ａの側面よりも側方に突出させてあり、受け金物１０ｃの基礎１０ａの側面よりも側方に突出した部分にボルト挿入孔１１が形成してある。
【００２１】
ナット付きプレート６を取付けた鋼製大引７を基礎１０ａに設けた上記受け金物１０ｃ上に載置し、鋼製大引７の底面壁９に設けた孔１８と載置部１０ｂのボルト挿入孔１１とを連通させ（これによりボルト挿入孔１１とナット５を連通させ）、この状態で、ボルト挿入孔１１からボルト１２を挿入し、孔１８を通してナット５に螺着するものである。
【００２２】
この場合、上横片２にナット５を取付ける際に用いるリング１７がボルト１２による締め付け時に座金としての役目をすることになって螺着状態が強固となるものである。
【００２３】
次に、図５乃至図８に基づいて本発明の他の実施形態につき説明する。本実施形態においては、角筒状の鋼製大引７内に差し込まれる上横片２に角筒状をした鋼製大引７の端部開口８の横巾とほぼ等しい巾の部分を設けることに特徴がある。そして、本実施形態においてはナット付きプレート６の構成が上記実施形態とことなるが、鋼製大引７の構成、鋼製大引７の取付け方は前述の実施形態と同様であるので、重複する説明は省略して説明する。
【００２４】
本実施形態においてナット付きプレート６は、背の低い縦片よりなる連設部１の下端部の中央部から横方向に向けて先端が自由端となり且つナット５を固着した上横片２が突出してあり、また、連設部１の両側部からそれぞれ先端が自由端となった下横片３が上横片２の突出方向と同方向に突出して構成してある。両下横片３はいずれも上横片２よりも少し下方に位置しており、下横片３と上横片２との上下方向の隙間の寸法は後述の筒状をした鋼製大引７の底面壁９の肉厚と同じか又は肉厚よりも少し短いものである。また、上横片２は両下横片３よりも突出長が長く、この上横片２の下横片３よりも突出した部分が巾広の幅広部２ａとなっていて、この巾広部２ａの巾が角筒状をした鋼製大引７の端部開口８の横巾とほぼ等しい巾となっている。また、巾広部２ａの突出先端の両コーナ部分は面取りしてあって、上横片２の先端を角筒状をした鋼製大引７の端部開口７から挿入する際に面取り部分をガイドとして挿入できるようにしてある。また、上横片２に対してナット５を固着する構成は前述と同様の図４（ｅ）と同様の構成となっている。
【００２５】
上記の構成のナット付きプレート６はまず、上横片２の先端を上記面取り部をガイドとして角筒状をした鋼製大引７内に差し込んで巾広部２ａを底面部８の上面に当接した状態でナット付きプレート６を押し込み、更に下横片３の先端を底面部８の下面側に当接し、更に、連設部１が鋼製大引７の底面壁９の端（つまり端部開口８の下端縁）に当たるまでナット付きプレート６を押し込むものであり、これにより上横片２と下横片３とで底面壁９を上下から挟持すると共にナット５と鋼製大引７の底面壁９に設けた孔４とを連通させるものである。
【００２６】
この場合、上横片２の巾が角筒状をした鋼製大引７の端部開口８の横巾とほぼ等しいので、ナット５と孔１８とを巾方向に一致させることができ、また、前述の実施形態と同様に鋼製大引７の端部開口８から底面壁９に設けた孔１８の中心までの長さと、ナット付きプレート６の連設部１からナット５の中心までの長さを等しく設定してあることで、ナット付きプレート６を連設部１が鋼製大引７の底面壁９の端に当たるまで差し込むことで、自動的にナット５と孔１８とを連通することができるものである。
【００２７】
本実施形態においては、前述のようにして鋼製大引７にナット付きプレート６を取付け、ナット５と孔１８とを連通させるのであるが、このナット付きプレート６を取付けた鋼製大引７を前述の実施形態と同様にして支持基台１０の上面部に設けた載置部１０ｂに載置してボルト１２により取付ける作業を行う際に、ナット付きプレート６が鋼製大引７に対して巾方向に動かず、ナット５と孔１８との位置ずれを防止ながら取付け作業ができるものである。
【００２８】
【発明の効果】
上記のように本発明の請求項１記載の発明にあっては、連設部から先端が自由端となった上横片を横方向に突出し且つ連設部から上横片と同じ方向に先端が自由端となった下横片を突出すると共に上横片に上横片に設けた孔に連通するようにナットを固着してナット付きプレートを形成し、角筒状をした鋼製大引の端部開口から鋼製大引の底面壁にナット付きプレートを差し込んで上横片と下横片とで底面壁を上下から挟持した状態でナットと底面壁に設けた孔とを連通させ、基礎や束等の大引支持基台の上面に支持基台の側面より側方に突出するように載置部を設け、載置部に鋼製大引の端部を載置すると共に載置部に設けたボルト挿入孔から挿入したボルトを鋼製大引の孔を介してナット付きプレートのナットに螺合してあるので、鋼製大引の端部開口から鋼製大引の底面壁にナット付きプレートを差し込むだけで、ナットを鋼製大引の底面壁に設けた孔と連通した状態で保持でき、従来のようにナットを鋼製大引内に溶接やかしめ固定により取付ける必要がなくて、簡単に鋼製大引を支持基台にボルトにより取付けることが可能となるものである。
【００２９】
また、請求項２記載の発明にあっては、上記請求項１記載の発明の効果に加えて、連設部の中央部から先端が自由端となった上横片を横方向に突出し且つ連設部の両端部から上横片と同じ方向に先端が自由端となった下横片を突出し、下横片、上横片のいずれか一方の突出長を他方の突出長よりも長くするので、鋼製大引の端部開口から鋼製大引の底面壁にナット付きプレートを差し込んでナットと底面壁の孔とを位置決めして連通させるに当たって、ナット付きプレートの両下横片又は上横片のうちいずれかの先端を先に鋼製大引の底面壁の端部開口側の下面又は上面に当てた状態で次に他方の先端を底面壁の上面側又は下面側に沿って差し込むことでナット付きプレートを底面壁の上下面に挟持するように差し込むことができるものである。
【００３０】
また、請求項３記載の発明にあっては、上記請求項２記載の発明の効果に加えて、上横片の先端よりも両側の下横片の先端を突出させ、上横片の先端を斜め上方に突出させて上横片用ガイド部としてあるので、鋼製大引の端部開口から鋼製大引の底面壁にナット付きプレートを差し込んでナットと底面壁の孔とを位置決めして連通させるに当たって、ナット付きプレートの両下横片の先端を先に鋼製大引の底面壁の端部開口側の下面に当てた状態で次に上横片の先端の上横片用ガイド部をガイドとして底面壁の上面側に沿って差し込むことでナット付きプレートを底面壁の上下面に挟持するように差し込むことができるものである。
【００３１】
また、請求項４記載の発明にあっては、上記請求項１乃至請求項３のいずれかに記載の発明の効果に加えて、角筒状の鋼製大引内に差し込まれる上横片に角筒状をした鋼製大引の端部開口の横巾とほぼ等しい巾の部分を設けてあるので、上横片を角筒状の鋼製大引内に差し込むと上横片の鋼製大引に対する巾方向の位置決めが自動的になされてナットと鋼製大引の底面壁に設けた孔とを容易に一致させることができ、また、鋼製大引の取付け作業時にナットと孔とを一致させた状態で鋼製大引に対してナットが巾方向にずれず、取付け作業が簡単にできるものである。
【００３２】
また、請求項５記載の発明にあっては、上記請求項１乃至請求項４のいずれかに記載の発明の効果に加えて、ナットを上横片に設けた孔よりも外径の大きいナット本体とナット本体の下端部に突設した上横片に設けた孔よりも外径の小さい細径筒部とで構成し、ナットの細径筒部を上横片に設けた孔に上方より挿入してナット本体を上横片の上面側に位置させると共に細径筒部に上横片の下方よりリングを嵌め込んで細径筒部を上横片の下面側にかしめ固定してあるので、上横片にナットを取付ける際に用いるリングをボルトによる締め付け時に座金としての役目をすることになる。
【図面の簡単な説明】
【図１】本発明の鋼製大引の取付け状態を示す断面図である。
【図２】同上の鋼製大引にナット付きプレートを取付けた状態の断面図である。
【図３】同上の鋼製大引にナット付きプレートを差し込む前の状態の斜視図である。
【図４】同上に用いるナット付きプレートを示し、（ａ）は平面図であり、（ｂ）は正面図であり、（ｃ）は側面図であり、（ｄ）は断面図であり、（ｅ）はナットの取付け部分の拡大断面図である。
【図５】本発明の他の実施形態の鋼製大引の取付け状態を示す断面図である。
【図６】同上の鋼製大引にナット付きプレートを取付けた状態の断面図である。
【図７】同上の鋼製大引にナット付きプレートを差し込む前の状態の斜視図である。
【図８】同上に用いるナット付きプレートを示し、（ａ）は平面図であり、（ｂ）は正面図であり、（ｃ）は側面図であり、（ｄ）は断面図である。
【符号の説明】
１  連設部
２  上横片
３  下横片
４  孔
５  ナット
６  ナット付きプレート
７  鋼製大引
８  端部開口
９  底面壁
１０  大引支持基台
１１  ボルト挿入孔
１２  ボルト
１４  上横片用ガイド部
１５  ナット本体
１６  細径筒部
１７  リング
１８  孔
【図１】
0003735304.tif 000002
【図２】
0003735304.tif 000003
【図３】
0003735304.tif 000004
【図４】
0003735304.tif 000005
【図５】
0003735304.tif 000006
【図６】
0003735304.tif 000007
【図７】
0003735304.tif 000008
【図８】
0003735304.tif 000009